(57)【特許請求の範囲】
【請求項１】
赤用映像信号に応じて赤成分光を変調する赤光変調素子、緑用映像信号に応じて緑成分光を変調する緑光変調素子及び青用映像信号に応じて青成分光を変調する青光変調素子を備えており、前記赤成分光、前記緑成分光及び前記青成分光のいずれかに第４色成分光が重畳される照明装置において用いられる映像信号変換装置であって、
前記赤用映像信号、前記緑用映像信号及び前記青用映像信号のうち、特定映像信号に基づいて、前記第４色成分光の重畳量を制御する制御部を備え、
前記特定映像信号に相当する色は、前記第４色成分光に相当する色相に隣接する色相を有する色であり、
前記制御部は、
前記特定映像信号に基づいて、前記第４色成分光によって代替可能な置換信号を算出し、
映像の彩度の上昇に伴って前記第４色成分光の光量が増大するように定められた色再現パラメータαと前記置換信号とに基づいて、前記重畳量を算出して第４色用出力信号を出力すると共に、
前記色再現パラメータαと前記置換信号とに基づいて、前記特定映像信号から減算して前記特定映像信号の出力信号を出力することを特徴とする映像信号変換装置。
【請求項２】
前記制御部は、映像の彩度の上昇に伴って前記第４色成分光の光量が減少するように定められた輝度パラメータβ1を用いて前記重畳量を算出することを特徴とする請求項１に記載の映像信号変換装置。
【請求項３】
前記制御部は、映像の輝度が所定の閾値となるまで前記第４色成分光の光量が増大し、映像の輝度が前記所定の閾値を超えてから前記第４色成分光の光量が減少するように定められた輝度パラメータβ2を用いて前記重畳量を算出することを特徴とする請求項１に記載の映像信号変換装置。
【請求項４】
赤用映像信号に応じて赤成分光を変調する赤光変調素子、緑用映像信号に応じて緑成分光を変調する緑光変調素子及び青用映像信号に応じて青成分光を変調する青光変調素子を備えており、前記赤成分光、前記緑成分光及び前記青成分光のいずれかに第４色成分光が重畳される映像表示装置であって、
前記赤光変調素子から出射された赤成分光、前記緑光変調素子から出射された緑成分光、前記青光変調素子から出射された青成分光と、を合成する色合成部と、
前記赤用映像信号、前記緑用映像信号及び前記青用映像信号のうち、特定映像信号に基づいて、前記第４色成分光の重畳量を制御する制御部と、を備え、
前記特定映像信号に相当する色は、前記第４色成分光に相当する色相に隣接する色相を有する色であり、
前記制御部は、
前記特定映像信号に基づいて、前記第４色成分光によって代替可能な置換信号を算出し、
映像の彩度の上昇に伴って前記第４色成分光の光量が増大するように定められた色再現パラメータαと前記置換信号とに基づいて、前記重畳量を算出して第４色用出力信号を出力すると共に、
前記色再現パラメータαと前記置換信号とに基づいて、前記特定映像信号から減算して前記特定映像信号の出力信号を出力することを特徴とする映像表示装置。
【発明の詳細な説明】
【技術分野】
【０００１】
本発明は、赤成分光、緑成分光及び青成分光に加えて、第４色成分光を利用する映像信号変換装置及び映像表示装置に関する。
【背景技術】
【０００２】
従来、赤成分光を変調する赤用液晶パネルと、緑成分光を変調する緑用液晶パネルと、青成分光を変調する青用液晶パネルとを備えた３板式の投写型映像表示装置が一般的に広く知られている。
【０００３】
また、輝度の向上や消費電力の低減を目的として、赤成分光、緑成分光及び青成分光に加えて、第４色成分光（例えば、黄色成分光）を利用した投写型映像表示装置も提案されている（例えば、特許文献１）。
【０００４】
具体的には、投写型映像表示装置では、赤成分光、緑成分光及び青成分光に加えて、黄色成分光を利用することによって、スクリーン上に投写される映像の輝度向上などが図られている。
【特許文献１】特開２００２−２８７２４７号公報（請求項１、請求項４、図１など）
【発明の開示】
【発明が解決しようとする課題】
【０００５】
しかしながら、上述した投写型映像表示装置では、単に黄色成分光を追加すると、映像が黄色側にシフトしてしまう。すなわち、黄色成分光の利用によって映像の色再現性が低下してしまう。
【０００６】
そこで、本発明は、上述した課題を解決するためになされたものであり、映像の色再現性の向上を図ることを可能とする映像信号変換装置及び映像表示装置を提供することを目的とする。
【課題を解決するための手段】
【０００７】
一の特徴では、赤用映像信号に応じて赤成分光を変調する赤光変調素子（液晶パネル３０Ｒ）、緑用映像信号に応じて緑成分光を変調する緑光変調素子（液晶パネル３０Ｇ）及び青用映像信号に応じて青成分光を変調する青光変調素子（液晶パネル３０Ｂ）を備えており、前記赤成分光、前記緑成分光及び前記青成分光のいずれかに第４色成分光が重畳される照明装置において、映像信号変換装置が用いられる。映像信号変換装置は、前記赤用映像信号、前記緑用映像信号及び前記青用映像信号のうち、特定映像信号に基づいて、前記第４色成分光の重畳量を制御する制御部（制御部１３０）を備える。前記特定映像信号に相当する色は、前記第４色成分光に相当する色相に隣接する色相を有する色である。前記制御部は、前記重畳量に基づいて、前記特定映像信号の減算量を制御する。
【０００８】
かかる特徴では、特定映像信号に相当する色は、第４色成分光に相当する色相に隣接する色相を有する色である。制御部は、特定映像信号に基づいて、第４色成分光の重畳量を制御する。制御部は、第４色成分光の重畳量に基づいて、特定映像信号の減算量を制御する。
【０００９】
従って、第４色成分光の利用によって映像の輝度の向上を図りながら、第４色成分光の利用によって映像の色再現性が低下を抑制することができる。
【００１０】
上述した特徴において、前記制御部は、前記第４色成分光の光量を制御するための色再現パラメータαを用いて前記重畳量を制御し、前記色再現パラメータαは、映像の彩度の上昇に伴って前記第４色成分光の光量が増大するように定められたパラメータである。
【００１１】
上述した特徴において、前記制御部は、前記第４色成分光の光量を制御するための輝度パラメータβ１を用いて前記重畳量を制御し、前記輝度パラメータβ１は、映像の彩度の上昇に伴って前記第４色成分光の光量が減少するように定められたパラメータである。
【００１２】
上述した特徴において、前記制御部は、前記第４色成分光の光量を制御するための輝度パラメータβ２を用いて前記重畳量を制御し、前記輝度パラメータβ２は、映像の輝度が所定の閾値となるまで前記第４色成分光の光量が増大し、映像の輝度が前記所定の閾値を超えてから前記第４色成分光の光量が減少するように定められたパラメータである。
【００１３】
一の特徴では、映像表示装置は、赤用映像信号に応じて赤成分光を変調する赤光変調素子、緑用映像信号に応じて緑成分光を変調する緑光変調素子及び青用映像信号に応じて青成分光を変調する青光変調素子を備える。前記赤成分光、前記緑成分光及び前記青成分光のいずれかに第４色成分光が重畳される。映像表示装置は、前記赤光変調素子から出射された赤成分光、前記緑光変調素子から出射された緑成分光、前記青光変調素子から出射された青成分光とを合成する色合成部（クロスダイクロイックキューブ６０）と、前記赤用映像信号、前記緑用映像信号及び前記青用映像信号のうち、特定映像信号に基づいて、前記第４色成分光の重畳量を制御する制御部（制御部１３０）とを備える。前記特定映像信号に相当する色は、前記第４色成分光に相当する色相に隣接する色相を有する色である。前記制御部は、前記重畳量に基づいて、前記特定映像信号の減算量を制御する。
【発明の効果】
【００１４】
本発明によれば、映像の色再現性の向上を図ることを可能とする映像信号変換装置及び映像表示装置を提供することができる。
【発明を実施するための最良の形態】
【００１５】
以下において、本発明の実施形態に係る投写型映像表示装置について、図面を参照しながら説明する。なお、以下の図面の記載において、同一又は類似の部分には、同一又は類似の符号を付している。
【００１６】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１７】
［第１実施形態］
（投写型映像表示装置の概略）
以下において、第１実施形態に係る投写型映像表示装置の概略について、図面を参照しながら説明する。図１は、第１実施形態に係る投写型映像表示装置１００の概略を示す図である。
【００１８】
図１に示すように、投写型映像表示装置１００は、投写レンズユニット１１０を有しており、投写レンズユニット１１０によって拡大された映像光をスクリーン２００上に投写する。投写型映像表示装置１００は、後述するように、赤成分光、緑成分光及び青成分光に加えて、第４色成分光として黄色成分光を利用する。
【００１９】
（照明ユニットの概略構成）
以下において、第１実施形態に係る照明ユニットの概略構成について、図面を参照しながら説明する。図２は、第１実施形態に係る照明ユニット１２０の概略構成を示す図である。図２では、光源１０が発する光を均質化するフライアイレンズ、光源１０が発する光の偏光方向を揃えるＰＢＳ（Ｐｏｌａｒｉｚｅｄ  Ｂｅａｍ  Ｓｐｌｉｔｔｅｒ）などが省略されていることに留意すべきである。
【００２０】
図２に示すように、照明ユニット１２０は、光源１０と、複数の液晶パネル３０（液晶パネル３０Ｒ、液晶パネル３０Ｇ、液晶パネル３０Ｂ及び液晶パネル３０Ｙｅ）と、クロスダイクロイックキューブ６０とを備える。なお、図２では、投写レンズユニット１１０が図示されているが、投写レンズユニット１１０は照明ユニット１２０に含まれないことに留意すべきである。
【００２１】
光源１０は、白色光を発するＵＨＰランプなどである。すなわち、光源１０が発する光は、赤成分光、緑成分光、青成分光及び黄色成分光を少なくとも含む。なお、図３に示すように、赤色、緑色及び青色のうち、赤色及び緑色は、黄色に隣接する色相を有する色である。
【００２２】
なお、光の三原色（赤色、緑色及び青色）を利用する場合には、広義の解釈として、赤色の補色がシアンであり、緑色の補色がマゼンタであり、青色の補色が黄色であると考えてもよい。
【００２３】
また、黄色成分光は、赤成分光及び緑成分光のいずれか一方、又は、赤成分光及び緑成分光の双方に重畳される。第１実施形態では、黄色成分光は、赤成分光に重畳され、液晶パネル３０Ｒに入射する。
【００２４】
液晶パネル３０Ｒは、後述するように、赤用映像信号（赤入力信号Ｒｉｎから算出される赤用出力信号Ｒｏｕｔ）に応じて赤成分光を変調する。なお、液晶パネル３０Ｒの光入射側及び光出射側には、一対の偏光板（不図示）が設けられている。
【００２５】
同様に、液晶パネル３０Ｇは、緑用映像信号（緑入力信号Ｇｉｎから算出される緑用出力信号Ｇｏｕｔ）に応じて緑成分光を変調し、液晶パネル３０Ｂは、青用映像信号（青入力信号Ｂｉｎから算出される青用出力信号Ｂｏｕｔ）に応じて青成分光を変調する。なお、液晶パネル３０Ｇ及び液晶パネル３０Ｂの光入射側及び光出射側には、一対の偏光板（不図示）が設けられている。
【００２６】
一方で、液晶パネル３０Ｙｅは、特定映像信号（赤用映像信号及び緑用映像信号）に基づいて算出される制御信号（黄用制御信号）に応じて黄色成分光を変調する。なお、液晶パネル３０Ｙｅの光入射側及び光出射側の少なくとも一方に偏光板（不図示）が設けられていてもよい。
【００２７】
ここで、特定映像信号（赤用映像信号及び緑用映像信号）に相当する色（赤色及び緑色）は、第４色成分光（黄色成分光）に相当する色相に隣接する色相を有する色である。
【００２８】
液晶パネル３０Ｙｅから出射される光は、液晶パネル３０Ｒに入射する。すなわち、液晶パネル３０Ｒは、液晶パネル３０Ｙｅから出射される光がクロスダイクロイックキューブ６０に入射するまでの間において、液晶パネル３０Ｙｅから出射される光の光路上に設けられている。
【００２９】
なお、液晶パネル３０Ｙｅの変調量の制御とは、液晶パネル３０Ｙｅを透過する黄色成分光の光量の制御であることに留意すべきである。すなわち、液晶パネル３０Ｙｅの変調量の制御とは、赤成分光に重畳される黄色成分光の重畳量の制御である。
【００３０】
液晶パネル３０Ｙｅから出射される光は、液晶パネル３０Ｒ上に略結像されることが好ましい。例えば、液晶パネル３０Ｙｅと液晶パネル３０Ｒとの間において、液晶パネル３０Ｙｅから出射される光の光路上にリレーレンズ（レンズ８６、レンズ８７及びレンズ８３）などを配置することによって、液晶パネル３０Ｙｅから出射される光を液晶パネル３０Ｒ上に略結像することが可能である。ここで、略結像とは、結像を含む概念であることに留意すべきである。
【００３１】
ここで、液晶パネル３０Ｙｅの解像度は、液晶パネル３０Ｒ、液晶パネル３０Ｇ及び液晶パネル３０Ｂの解像度と異なる。具体的には、スクリーン２００上に高精細な映像を表示するために、液晶パネル３０Ｒ、液晶パネル３０Ｇ及び液晶パネル３０Ｂは高い解像度を有する。一方で、液晶パネル３０Ｙｅから出射される光は主として照明光として利用される。従って、液晶パネルに設けられた電極などによって光利用効率が低下しないように、液晶パネル３０Ｙｅの解像度は、液晶パネル３０Ｒ、液晶パネル３０Ｇ及び液晶パネル３０Ｂの解像度よりも低いことが好ましい。また、対象領域毎に黄色成分光の光量を調整できればよいため、液晶パネル３０Ｙｅの解像度は低くても十分である。
【００３２】
なお、解像度が低いとは、液晶パネル３０Ｙｅが解像度を有していないことも含む概念である。従って、液晶パネル３０Ｙｅは、複数の領域毎に変調量が制御可能に構成されている必要はなく、全面の変調量のみが制御される構成を有していてもよい。
【００３３】
また、液晶パネル３０Ｙｅの解像度は、液晶パネル３０Ｒ、液晶パネル３０Ｇ及び液晶パネル３０Ｂの解像度と同じであってもよい。
【００３４】
クロスダイクロイックキューブ６０は、液晶パネル３０Ｒ、液晶パネル３０Ｇ及び液晶パネル３０Ｂから出射される光を合成する色合成部である。すなわち、クロスダイクロイックキューブ６０は、液晶パネル３０Ｒから出射される赤成分光及び黄色成分光、液晶パネル３０Ｇから出射される緑成分光及び液晶パネル３０Ｂから出射される青成分光を合成する。また、クロスダイクロイックキューブ６０は、赤成分光、緑成分光、青成分光及び黄色成分光を含む合成光（映像光）を投写レンズユニット１１０側に出射する。
【００３５】
投写レンズユニット１１０は、上述したように、クロスダイクロイックキューブ６０によって合成された合成光（映像光）をスクリーン２００上に投写する。
【００３６】
図２に戻って、照明ユニット１２０は、複数のミラー群（ミラー２１〜ミラー２７）を有する。ミラー２１は、青成分光を透過し、赤成分光、緑成分光及び黄色成分光を含む他の光を反射するダイクロイックミラーである。ミラー２２は、青成分光を液晶パネル３０Ｂ側に反射するミラーである。ミラー２３は、緑成分光を液晶パネル３０Ｇ側に反射し、赤成分光及び黄色成分光を含む他の光を透過するダイクロイックミラーである。ミラー２４は、赤成分光を液晶パネル３０Ｒ側に反射し、黄色成分光を含む他の光を透過するダイクロイックミラーである。ミラー２５は、黄色成分光を液晶パネル３０Ｙｅ側に反射するミラーである。ミラー２６は、黄色成分光を液晶パネル３０Ｒ側に反射するミラーである。ミラー２７は、液晶パネル３０Ｙｅから出射された光（黄色成分光）を透過し、赤成分光を液晶パネル３０Ｒ側に反射するダイクロイックミラーである。
【００３７】
ここで、ミラー２１、ミラー２３及びミラー２４は、赤成分光と緑成分光と青成分光と黄色成分光とに光源１０が発する光を分離する色分離部を構成する。
【００３８】
照明ユニット１２０は、複数のレンズ群（レンズ４１〜レンズ４３、レンズ８１〜レンズ８７）を有する。レンズ４１は、液晶パネル３０Ｂに青成分光が照射されるように、ミラー２２で反射された青成分光を略略平行光化するコンデンサレンズである。レンズ４２は、液晶パネル３０Ｂに緑成分光が照射されるように、ミラー２３で反射された緑成分光を略略平行光化するコンデンサレンズである。レンズ４３は、液晶パネル３０Ｒに赤成分光が照射されるように、ミラー２３を透過した赤成分光を略略平行光化するコンデンサレンズである。同様に、レンズ４３は、液晶パネル３０Ｙｅに黄色成分光が照射されるように、ミラー２３を透過した黄色成分光を略略平行光化するコンデンサレンズである。
【００３９】
レンズ８１〜レンズ８３は、レンズ４３によって略略平行光化された赤成分光を液晶パネル３０Ｒ上に略結像させるリレーレンズである。レンズ８１、レンズ８４及びレンズ８５は、レンズ４３によって略略平行光化された黄色成分光を液晶パネル３０Ｙｅ上に略結像させるリレーレンズである。レンズ８６、レンズ８７及びレンズ８３は、液晶パネル３０Ｙｅから出射された黄色成分光の拡大を抑制しながら、液晶パネル３０Ｒ上に黄色成分光を略結像させるリレーレンズである。
【００４０】
照明ユニット１２０は、黄色成分光の偏光方向を９０°回転させる位相差板５０を有する。具体的には、位相差板５０は、赤成分光と偏光方向が揃っていた黄色成分光の偏光方向を略９０°回転させて、黄色成分光を液晶パネル３０Ｒ側に出射する。
【００４１】
ここで、液晶パネル３０Ｙｅから出射された黄色成分光の偏光方向が、液晶パネル３０Ｒに入射する赤成分光の偏光方向と異なる場合には、液晶パネル３０Ｒの入射側に設けられた偏光板によって黄色成分光が遮光される。
【００４２】
従って、液晶パネル３０Ｙｅに電圧を印加すべきか否かについては、電圧の印加状態と偏光の回転との関係で制御される。以下においては、電圧が印加されていない状態で偏光方向を回転し、電圧が印加された状態で偏光方向を回転しない第１タイプの液晶パネルと、電圧が印加されていない状態で偏光方向を回転せずに、電圧が印加された状態で偏光方向を回転する第２タイプの液晶パネルとを例に挙げて説明する。
【００４３】
（１）液晶パネル３０Ｙｅが第１タイプであるケース
（１−１）位相差板５０が設けられていないケース
黄色成分光をオフにする場合には、液晶パネル３０Ｙｅに電圧を印加しない。これによって、液晶パネル３０Ｙｅが黄色成分光の偏光方向を回転させるため、黄色成分光の偏光方向が赤成分光の偏光方向と異なることになる。すなわち、液晶パネル３０Ｒの入射側に設けられた偏光板によって黄色成分光が遮光される。
【００４４】
黄色成分光をオンにする場合には、液晶パネル３０Ｙｅに電圧を印加する。これによって、液晶パネル３０Ｙｅが黄色成分光の偏光方向を回転させないため、黄色成分光の偏光方向が赤成分光の偏光方向と同じになる。
【００４５】
（１−２）位相差板５０が設けられているケース
黄色成分光をオフにする場合には、液晶パネル３０Ｙｅに電圧を印加する。これによって、位相差板５０が黄色成分光の偏光方向を回転させた後に、液晶パネル３０Ｙｅが黄色成分光の偏光方向を回転させないため、黄色成分光の偏光方向が赤成分光の偏光方向と異なることになる。すなわち、液晶パネル３０Ｒの入射側に設けられた偏光板によって黄色成分光が遮光される。
【００４６】
黄色成分光をオンにする場合には、液晶パネル３０Ｙｅに電圧を印加しない。これによって、位相差板５０が黄色成分光の偏光方向を回転させた後に、液晶パネル３０Ｙｅが黄色成分光の偏光方向をさらに回転させるため、黄色成分光の偏光方向が赤成分光の偏光方向と同じになる。
【００４７】
（２）液晶パネル３０Ｙｅが第２タイプであるケース
（２−１）位相差板５０が設けられていないケース
黄色成分光をオフにする場合には、液晶パネル３０Ｙｅに電圧を印加する。これによって、液晶パネル３０Ｙｅが黄色成分光の偏光方向を回転させるため、黄色成分光の偏光方向が赤成分光の偏光方向と異なることになる。すなわち、液晶パネル３０Ｒの入射側に設けられた偏光板によって黄色成分光が遮光される。
【００４８】
黄色成分光をオンにする場合には、液晶パネル３０Ｙｅに電圧を印加しない。これによって、液晶パネル３０Ｙｅが黄色成分光の偏光方向を回転させないため、黄色成分光の偏光方向が赤成分光の偏光方向と同じになる。
【００４９】
（２−２）位相差板５０が設けられているケース
黄色成分光をオフにする場合には、液晶パネル３０Ｙｅに電圧を印加しない。これによって、位相差板５０が黄色成分光の偏光方向を回転させた後に、液晶パネル３０Ｙｅが黄色成分光の偏光方向を回転させないため、黄色成分光の偏光方向が赤成分光の偏光方向と異なることになる。すなわち、液晶パネル３０Ｒの入射側に設けられた偏光板によって黄色成分光が遮光される。
【００５０】
黄色成分光をオンにする場合には、液晶パネル３０Ｙｅに電圧を印加する。これによって、位相差板５０が黄色成分光の偏光方向を回転させた後に、液晶パネル３０Ｙｅが黄色成分光の偏光方向をさらに回転させるため、黄色成分光の偏光方向が赤成分光の偏光方向と同じになる。
【表１】
0005273981.tif 000002
【００５１】
ここで、表１は、上述した電圧の印加状態と偏光の回転との関係を示す表である。
【００５２】
（投写型映像表示装置の機能）
以下において、第１実施形態に係る投写型映像表示装置の機能について、図面を参照しながら説明する。図４は、第１実施形態に係る投写型映像表示装置１００（制御部１３０）の機能を示すブロック図である。
【００５３】
図４に示すように、制御部１３０は、入力信号受付部１３１と、Ｙｅ置換成分算出部１３２と、パラメータ特定部１３３と、Ｙｅ成分調整部１３４と、出力部１３５とを有する。
【００５４】
入力信号受付部１３１は、赤入力信号Ｒｉｎ、緑入力信号Ｇｉｎ及び青入力信号Ｂｉｎを取得する。入力信号受付部１３１は、赤入力信号Ｒｉｎ、緑入力信号Ｇｉｎ及び青入力信号Ｂｉｎをパラメータ特定部１３３に入力する。入力信号受付部１３１は、赤入力信号Ｒｉｎ及び緑入力信号ＧｉｎをＹｅ置換成分算出部１３２に入力する。
【００５５】
なお、赤入力信号Ｒｉｎ、緑入力信号Ｇｉｎ及び青入力信号Ｂｉｎには、入力信号受付部１３１に入力される前に逆γ補正が加えられている。
【００５６】
Ｙｅ置換成分算出部１３２は、赤成分光及び緑成分光を黄色成分光によって代替可能な成分（Ｙｅ置換成分）に対応するＹｅ置換信号Ｗを算出する。
【００５７】
ここで、赤成分光及び緑成分光は、赤成分光及び緑成分光と等しい光量を有する黄色成分光によって代替可能である。従って、赤入力信号Ｒｉｎ及び緑入力信号Ｇｉｎは、赤入力信号Ｒｉｎ及び緑入力信号Ｇｉｎと等しい信号強度を有するＹｅ置換信号Ｗによって代替可能である。
【００５８】
従って、Ｙｅ置換成分算出部１３２は、赤入力信号Ｒｉｎ及び緑入力信号Ｇｉｎに基づいて、以下の（式１）に従って、Ｙｅ置換信号Ｗを算出する。
【数１】
0005273981.tif 000003
【００５９】
なお、ｍｉｎ（Ｒｉｎ，Ｇｉｎ）は、赤入力信号Ｒｉｎ及び緑入力信号Ｇｉｎのうち、信号強度が低い入力信号である。
【００６０】
Ｙｅ置換成分算出部１３２は、赤入力信号Ｒｉｎ、緑入力信号Ｇｉｎ及びＹｅ置換信号ＷをＹｅ成分調整部１３４に入力する。
【００６１】
パラメータ特定部１３３は、赤入力信号Ｒｉｎ、緑入力信号Ｇｉｎ及び青入力信号Ｂｉｎによって再現される映像（赤色Ｒ、緑色Ｇ、青色Ｂ及び黄色Ｙｅ）の彩度及び輝度を算出する。続いて、パラメータ特定部１３３は、図５（ａ）〜図５（ｃ）を参照して、パラメータ（色再現パラメータα、輝度パラメータβ１、輝度パラメータβ２）を特定し、特定したパラメータをＹｅ成分調整部１３４に入力する。
【００６２】
具体的には、図５（ａ）に示すように、色再現パラメータαは、映像（特に、黄色Ｙｅ）の彩度がＴｈ１となるまでは一定である。一方、色再現パラメータαは、映像の彩度がＴｈ１を超えると、映像の彩度の上昇に伴って増大するように定められている。すなわち、映像の彩度とホワイトポイントとの距離が一定距離以上において、映像の彩度がホワイトポイントから離れれば離れるほど、黄色成分光の光量が増大するように色再現パラメータαが定められている。これによって、赤成分光、緑成分光及び青成分光によって再現できない範囲の黄色Ｙｅを黄色成分光によって再現できるため、映像の色再現性が向上する。
【００６３】
なお、ホワイトポイントとは、白色を再現する際に各色成分光が組み合わされるポイントであることに留意すべきである。
【００６４】
図５（ｂ）に示すように、輝度パラメータβ１は、映像（特に、青色Ｂ）の彩度がＴｈ２となるまでは、映像の彩度の上昇に伴って減少するように定められている。一方、輝度パラメータβ１は、映像の彩度がＴｈ２を超えると一定である。すなわち、映像の彩度とホワイトポイントとの距離が一定距離以内において、映像の彩度がホワイトポイントから離れれば離れるほど、黄色成分光の光量が減少するように輝度パラメータβ１が定められている。
【００６５】
図５（ｃ）に示すように、輝度パラメータβ２は、映像の輝度がＴｈ３となるまで増大し、映像の輝度がＴｈ３を超えてから減少するように定められている。すなわち、映像の輝度がＴｈ３であるときをピークとして、黄色成分光の光量が少なくなるように輝度パラメータβ２が定められている。これによって、映像の輝度が低い場合における「黒浮き」や映像の輝度が高い場合における「白とび」が抑制される。
【００６６】
ここで、図５（ａ）〜図５（ｃ）では特に図示していないが、色再現パラメータα、輝度パラメータβ１及び輝度パラメータβ２は、赤色、緑色及び青色に相当する色相毎に定められていてもよい。また、色再現パラメータα、輝度パラメータβ１及び輝度パラメータβ２は、色相毎に異なる値であってもよい。
【００６７】
Ｙｅ成分調整部１３４は、赤入力信号Ｒｉｎ、緑入力信号Ｇｉｎ及びＹｅ置換信号Ｗに基づいて、赤調整信号Ｒ’、緑調整信号Ｇ’及び黄調整信号Ｙｅ’を算出する。
【００６８】
第１実施形態では、Ｙｅ成分調整部１３４は、赤調整信号Ｒ’、緑調整信号Ｇ’及び黄調整信号Ｙｅ’に算出において、色再現パラメータα及び輝度パラメータβ１を用いる。具体的には、Ｙｅ成分調整部１３４は、以下の（式２）〜（式４）に基づいて、赤調整信号Ｒ’、緑調整信号Ｇ’及び黄調整信号Ｙｅ’を算出する。
【数２】
0005273981.tif 000004
【００６９】
このように、Ｙｅ成分調整部１３４は、赤入力信号Ｒｉｎ及び緑入力信号Ｇｉｎに基づいて、黄色成分光の重畳量（Ｙｅ置換信号Ｗ）を算出する。Ｙｅ成分調整部１３４は、黄色成分光の重畳量（Ｙｅ置換信号Ｗ）に基づいて、赤入力信号Ｒｉｎ及び緑入力信号Ｇｉｎの減算量を制御する。
【００７０】
出力部１３５は、赤用出力信号Ｒｏｕｔ、緑用出力信号Ｇｏｕｔ、青用出力信号Ｂｏｕｔ及び黄用出力信号Ｙｅｏｕｔを各液晶パネル３０に出力する。具体的には、出力部１３５は、赤調整信号Ｒ’を赤用出力信号Ｒｏｕｔとして液晶パネル３０Ｒに出力する。同様に、出力部１３５は、緑調整信号Ｇ’及び黄調整信号Ｙｅ’を緑用出力信号Ｇｏｕｔ及び黄用出力信号Ｙｅｏｕｔとして、液晶パネル３０Ｇ及び液晶パネル３０Ｙｅに出力する。一方で、出力部１３５は、青入力信号Ｂｉｎをそのまま青用出力信号Ｂｏｕｔとして液晶パネル３０Ｂに出力する。
【００７１】
なお、赤用出力信号Ｒｏｕｔ、緑用出力信号Ｇｏｕｔ、青用出力信号Ｂｏｕｔ及び黄用出力信号Ｙｅｏｕｔには、各液晶パネル３０に入力される前にγ補正が加えられる。
【００７２】
（投写型映像表示装置の動作）
以下において、第１実施形態に係る投写型映像表示装置の動作について、図面を参照しながら説明する。図６は、第１実施形態に係る投写型映像表示装置１００の動作を示すフロー図である。
【００７３】
図６に示すように、ステップ１０において、投写型映像表示装置１００は、赤入力信号Ｒｉｎ、緑入力信号Ｇｉｎ及び青入力信号Ｂｉｎを受付ける。
【００７４】
ステップ２０において、投写型映像表示装置１００は、赤入力信号Ｒｉｎ及び緑入力信号Ｇｉｎに基づいて、Ｙｅ置換信号Ｗを算出する。具体的には、投写型映像表示装置１００は、以下の（式１）に基づいてＹｅ置換信号Ｗを算出する。
【数３】
0005273981.tif 000005
【００７５】
なお、ｍｉｎ（Ｒｉｎ，Ｇｉｎ）は、赤入力信号Ｒｉｎ及び緑入力信号Ｇｉｎのうち、信号強度が低い入力信号である。
【００７６】
ステップ３０において、投写型映像表示装置１００は、映像の彩度及び輝度に基づいて、色再現パラメータα及び輝度パラメータβ１を特定する。具体的には、投写型映像表示装置１００は、上述した図５を参照して輝度パラメータβ１を特定する。
【００７７】
ステップ４０において、投写型映像表示装置１００は、Ｙｅ置換信号Ｗに基づいて、赤調整信号Ｒ’、緑調整信号Ｇ’及び黄調整信号Ｙｅ’を算出する。具体的には、投写型映像表示装置１００は、以下の（式２）〜（式４）に基づいて各調整信号を算出する。
【数４】
0005273981.tif 000006
【００７８】
ステップ５０において、投写型映像表示装置１００は、赤用出力信号Ｒｏｕｔ、緑用出力信号Ｇｏｕｔ、青用出力信号Ｂｏｕｔ及び黄用出力信号Ｙｅｏｕｔを出力する。具体的には、投写型映像表示装置１００は、赤調整信号Ｒ’を赤用出力信号Ｒｏｕｔとして液晶パネル３０Ｒに出力する。同様に、投写型映像表示装置１００は、緑調整信号Ｇ’及び黄調整信号Ｙｅ’を緑用出力信号Ｇｏｕｔ及び黄用出力信号Ｙｅｏｕｔとして、液晶パネル３０Ｇ及び液晶パネル３０Ｙｅに出力する。一方で、投写型映像表示装置１００は、青入力信号Ｂｉｎをそのまま青用出力信号Ｂｏｕｔとして液晶パネル３０Ｂに出力する。
【００７９】
（作用及び効果）
第１実施形態では、特定映像信号（赤用映像信号及び緑用映像信号）に相当する色（赤色及び緑色）は、第４色成分光（黄色成分光）に相当する色相に隣接する色相を有する色である。制御部１３０は、赤用映像信号及び緑用映像信号に基づいて、黄色成分光の重畳量（Ｙｅ置換信号Ｗ）を制御する。制御部１３０は、黄色成分光の重畳量（Ｙｅ置換信号Ｗ）に基づいて、赤用映像信号及び緑用映像信号の減算量を制御する。
【００８０】
従って、黄色成分光の利用によって映像の輝度の向上を図りながら、黄色成分光の利用によって映像の色再現性が低下することを抑制することがきる。
【００８１】
制御部１３０が、映像（特に、黄色Ｙｅ）の彩度の上昇に伴って黄色成分光の光量が増大するように定められた色再現パラメータαを用いて、黄用出力信号Ｙｅｏｕｔを生成する。従って、映像の色再現性を効果的に向上することができる。
【００８２】
制御部１３０が、映像の彩度の上昇に伴って黄色成分光の光量が減少するように定められた輝度パラメータβ１を用いて、黄用出力信号Ｙｅｏｕｔを生成する。従って、映像（特に、青色Ｂ）の彩度が高い場合に、黄色成分光によって色純度が低下することを抑制しながら、ホワイトポイント近傍において映像の輝度向上を図ることができる。
【００８３】
制御部１３０が、映像の輝度がＴｈ３であるときをピークとして、黄色成分光の光量が少なくなるように定められた輝度パラメータβ２を用いて黄用出力信号Ｙｅｏｕｔを生成する場合には、映像の輝度が低い場合における「黒浮き」や映像の輝度が高い場合における「白とび」が抑制される。
【００８４】
［第２実施形態］
以下において、第２実施形態について図面を参照しながら説明する。以下においては、上述した第１実施形態と第２実施形態との相違点について主として説明する。
【００８５】
具体的には、上述した第１実施形態では、投写型映像表示装置１００は、青入力信号Ｂｉｎをそのまま青用出力信号Ｂｏｕｔとして液晶パネル３０Ｂに出力する。これに対して、第２実施形態では、投写型映像表示装置１００は、赤成分光、緑成分光、青成分光及び黄色成分光の視感度を考慮して、赤用出力信号Ｒｏｕｔ、緑用出力信号Ｇｏｕｔ、青用出力信号Ｂｏｕｔ及び黄用出力信号Ｙｅｏｕｔを調整する。
【００８６】
（投写型映像表示装置の機能）
以下において、第２実施形態に係る投写型映像表示装置の機能について、図面を参照しながら説明する。図７は、第２実施形態に係る投写型映像表示装置１００（制御部１３０）の機能を示すブロック図である。なお、図７では、図４と同様の構成については同様の符号を付していることに留意すべきである。
【００８７】
図７に示すように、制御部１３０は、図４に示した構成に加えて、共通成分抽出部１３６と、視感度調整部１３７とを有する。
【００８８】
共通成分抽出部１３６は、赤入力信号Ｒｉｎ、緑入力信号Ｇｉｎ及び青入力信号Ｂｉｎに共通する信号強度共通成分Ｗ２を抽出する。具体的には、共通成分抽出部１３６は、以下の（式５）に基づいて、信号強度共通成分Ｗ２を算出する。
【数５】
0005273981.tif 000007
【００８９】
なお、ｍｉｎ（Ｒｉｎ，Ｇｉｎ，Ｂｉｎ）は、赤入力信号Ｒｉｎ、緑入力信号Ｇｉｎ及び青入力信号Ｂｉｎのうち、信号強度が低い入力信号である。第２実施形態では、青入力信号Ｂｉｎの信号強度は、赤入力信号Ｒｉｎ及び緑入力信号Ｇｉｎの信号強度よりも低いことに留意すべきである。
【００９０】
続いて、共通成分抽出部１３６は、赤入力信号Ｒｉｎ及び緑入力信号Ｇｉｎから信号強度共通成分Ｗ２を除いた赤用中間信号Ｒ１及び緑用中間信号Ｇ１を算出する。具体的には、共通成分抽出部１３６は、以下の（式６）〜（式８）に基づいて、赤用中間信号Ｒ１及び緑用中間信号Ｇ１を算出する。
【数６】
0005273981.tif 000008
【００９１】
なお、第２実施形態では、青入力信号Ｂｉｎの信号強度は、赤入力信号Ｒｉｎ及び緑入力信号Ｇｉｎの信号強度よりも低いため、Ｂ１が０となることは勿論である。
【００９２】
視感度調整部１３７は、信号強度共通成分Ｗ２に基づいて、赤成分光、緑成分光、青成分光及び黄色成分光の視感度を考慮した赤用中間信号Ｒ３、緑用中間信号Ｇ３、青用中間信号Ｂ３及び黄用中間信号Ｙｅ３を算出する。ここで、視感度調整部１３７は、赤成分光、緑成分光、青成分光及び黄色成分光の視感度を考慮した比率（例えば、赤用比率ｒＲ＝１８７／２５５、緑用比率ｒＧ＝２５５／２５５、青用比率ｒＢ＝１２８／２５５、黄用比率ｒＹｅ＝２５５／２５５）を用いて、赤用中間信号Ｒ３、緑用中間信号Ｇ３、青用中間信号Ｂ３及び黄用中間信号Ｙｅ３を算出する。具体的には、視感度調整部１３７は、以下の（式９）〜（式１２）に基づいて、赤用中間信号Ｒ３、緑用中間信号Ｇ３、青用中間信号Ｂ３及び黄用中間信号Ｙｅ３を算出する。
【数７】
0005273981.tif 000009
【００９３】
上述したＹｅ置換成分算出部１３２は、赤成分光及び緑成分光を黄色成分光によって代替可能な成分（Ｙｅ置換成分）に対応するＹｅ置換信号Ｗを算出する。具体的には、Ｙｅ置換成分算出部１３２は、赤用中間信号Ｒ１及び緑用中間信号Ｇ１に基づいて、以下の（式１３）に従って、Ｙｅ置換信号Ｗを算出する。
【数８】
0005273981.tif 000010
【００９４】
なお、ｍｉｎ（Ｒ１，Ｇ１）は、赤用中間信号Ｒ１及び緑用中間信号Ｇ１のうち、信号強度が低い入力信号である。
【００９５】
上述したＹｅ成分調整部１３４は、赤用中間信号Ｒ１、緑用中間信号Ｇ１及びＹｅ置換信号Ｗに基づいて、赤調整信号Ｒ２、緑調整信号Ｇ２及び黄調整信号Ｙｅ２を算出する。ここで、Ｙｅ成分調整部１３４は、赤調整信号Ｒ２、緑調整信号Ｇ２及び黄調整信号Ｙｅ２に算出において、色再現パラメータα及び輝度パラメータβ１を用いる。具体的には、Ｙｅ成分調整部１３４は、以下の（式１４）〜（式１６）に基づいて、赤調整信号Ｒ２、緑調整信号Ｇ２及び黄調整信号Ｙｅ２を算出する。
【数９】
0005273981.tif 000011
【００９６】
出力部１３５は、赤用出力信号Ｒｏｕｔ、緑用出力信号Ｇｏｕｔ、青用出力信号Ｂｏｕｔ及び黄用出力信号Ｙｅｏｕｔを各液晶パネル３０に出力する。具体的には、出力部１３５は、赤調整信号Ｒ２と赤用中間信号Ｒ３とを合算した信号を赤用出力信号Ｒｏｕｔとして液晶パネル３０Ｒに出力する。同様に、出力部１３５は、緑調整信号Ｇ２と緑用中間信号Ｇ３とを合算した信号を緑用出力信号Ｇｏｕｔとして液晶パネル３０Ｇに出力し、黄調整信号Ｙｅ２と黄用中間信号Ｙｅ３とを合算した信号を黄用出力信号Ｙｅｏｕｔとして液晶パネル３０Ｙｅに出力する。一方で、出力部１３５は、青用中間信号Ｂ３を青用出力信号Ｂｏｕｔとして液晶パネル３０Ｂに出力する。
【００９７】
（投写型映像表示装置の動作）
以下において、第２実施形態に係る投写型映像表示装置の動作について、図面を参照しながら説明する。図８は、第２実施形態に係る投写型映像表示装置１００の動作を示すフロー図である。
【００９８】
図８に示すように、ステップ１０Ａにおいて、投写型映像表示装置１００は、赤入力信号Ｒｉｎ、緑入力信号Ｇｉｎ及び青入力信号Ｂｉｎを受付ける。
【００９９】
ステップ１２Ａにおいて、投写型映像表示装置１００は、赤入力信号Ｒｉｎ、緑入力信号Ｇｉｎ及び青入力信号Ｂｉｎに共通する信号強度共通成分Ｗ２を抽出する。具体的には、投写型映像表示装置１００は、以下の（式５）に基づいて、信号強度共通成分Ｗ２を算出する。
【数１０】
0005273981.tif 000012
【０１００】
なお、ｍｉｎ（Ｒｉｎ，Ｇｉｎ，Ｂｉｎ）は、赤入力信号Ｒｉｎ、緑入力信号Ｇｉｎ及び青入力信号Ｂｉｎのうち、信号強度が低い入力信号である。
【０１０１】
ステップ１４Ａにおいて、投写型映像表示装置１００は、信号強度共通成分Ｗ２に基づいて、赤成分光、緑成分光、青成分光及び黄色成分光の視感度を考慮した赤用中間信号Ｒ３、緑用中間信号Ｇ３、青用中間信号Ｂ３及び黄用中間信号Ｙｅ３を算出する。具体的には、投写型映像表示装置１００は、以下の（式９）〜（式１２）に基づいて、赤用中間信号Ｒ３、緑用中間信号Ｇ３、青用中間信号Ｂ３及び黄用中間信号Ｙｅ３を算出する。
【数１１】
0005273981.tif 000013
【０１０２】
なお、赤用比率ｒＲ、緑用比率ｒＧ、青用比率ｒＢ及び黄用比率ｒＹｅは、赤成分光、緑成分光、青成分光及び黄色成分光の視感度を考慮した比率である。
【０１０３】
ステップ２０Ａにおいて、投写型映像表示装置１００は、以下の（式６）〜（式８）に基づいて、赤用中間信号Ｒ１及び緑用中間信号Ｇ１を算出する。
【数１２】
0005273981.tif 000014
【０１０４】
続いて、投写型映像表示装置１００は、赤用中間信号Ｒ１及び緑用中間信号Ｇ１に基づいて、以下の（式１３）に従って、Ｙｅ置換信号Ｗを算出する。
【数１３】
0005273981.tif 000015
【０１０５】
なお、ｍｉｎ（Ｒ１，Ｇ１）は、赤用中間信号Ｒ１及び緑用中間信号Ｇ１のうち、信号強度が低い入力信号である。
【０１０６】
ステップ３０Ａにおいて、投写型映像表示装置１００は、映像の彩度及び輝度に基づいて、色再現パラメータα及び輝度パラメータβ１を特定する。具体的には、投写型映像表示装置１００は、上述した図５を参照して輝度パラメータβ１を特定する。
【０１０７】
ステップ４０Ａにおいて、投写型映像表示装置１００は、赤用中間信号Ｒ１、緑用中間信号Ｇ１及びＹｅ置換信号Ｗに基づいて、赤調整信号Ｒ２、緑調整信号Ｇ２及び黄調整信号Ｙｅ２を算出する。具体的には、投写型映像表示装置１００は、以下の（式１４）〜（式１６）に基づいて、赤調整信号Ｒ２、緑調整信号Ｇ２及び黄調整信号Ｙｅ２を算出する。
【数１４】
0005273981.tif 000016
【０１０８】
ステップ５０Ａにおいて、投写型映像表示装置１００は、赤用出力信号Ｒｏｕｔ、緑用出力信号Ｇｏｕｔ、青用出力信号Ｂｏｕｔ及び黄用出力信号Ｙｅｏｕｔを出力する。具体的には、投写型映像表示装置１００は、赤調整信号Ｒ２と赤用中間信号Ｒ３とを合算した信号を赤用出力信号Ｒｏｕｔとして液晶パネル３０Ｒに出力する。同様に、投写型映像表示装置１００は、緑調整信号Ｇ２と緑用中間信号Ｇ３とを合算した信号を緑用出力信号Ｇｏｕｔとして液晶パネル３０Ｇに出力し、黄調整信号Ｙｅ２と黄用中間信号Ｙｅ３とを合算した信号を黄用出力信号Ｙｅｏｕｔとして液晶パネル３０Ｙｅに出力する。一方で、投写型映像表示装置１００は、青用中間信号Ｂ３を青用出力信号Ｂｏｕｔとして液晶パネル３０Ｂに出力する。
【０１０９】
（出力信号の算出例）
以下において、第２実施形態に係る出力信号の算出例について、図９〜図１４を参照しながら説明する。具体的には、図９に示すように、赤入力信号Ｒｉｎ＝“２００”、緑入力信号Ｇｉｎ＝“１７０”、青入力信号Ｂｉｎ＝“１００”であるときに、赤用出力信号Ｒｏｕｔ、緑用出力信号Ｇｏｕｔ及び青用出力信号Ｂｏｕｔ及び黄用出力信号Ｙｅｏｕｔを算出するケースを例に挙げて説明する。
【０１１０】
図１０に示すように、投写型映像表示装置１００は、以下の（式５）に基づいて、信号強度共通成分Ｗ２を算出する。
【数１５】
0005273981.tif 000017
【０１１１】
図１１に示すように、投写型映像表示装置１００は、以下の（式６）〜（式８）に基づいて、赤用中間信号Ｒ１及び緑用中間信号Ｇ１を算出する。
【数１６】
0005273981.tif 000018
【０１１２】
図１２に示すように、投写型映像表示装置１００は、以下の（式９）〜（式１２）に基づいて、赤用中間信号Ｒ３、緑用中間信号Ｇ３、青用中間信号Ｂ３及び黄用中間信号Ｙｅ３を算出する。
【数１７】
0005273981.tif 000019
【０１１３】
なお、図１２では、赤用比率ｒＲ＝１８７／２５５、緑用比率ｒＧ＝２５５／２５５、青用比率ｒＢ＝１２８／２５５、黄用比率ｒＹｅ＝２５５／２５５である場合について例示していることに留意すべきである。
【０１１４】
図１３に示すように、投写型映像表示装置１００は、赤用中間信号Ｒ１及び緑用中間信号Ｇ１に基づいて、以下の（式１３）に従って、Ｙｅ置換信号Ｗを算出する。
【数１８】
0005273981.tif 000020
【０１１５】
続いて、投写型映像表示装置１００は、以下の（式１４）〜（式１６）に基づいて、赤調整信号Ｒ２、緑調整信号Ｇ２及び黄調整信号Ｙｅ２を算出する。
【数１９】
0005273981.tif 000021
【０１１６】
なお、図１３では、色再現パラメータαとして“１”が特定され、輝度パラメータβ１として“０”が特定された場合について例示していることに留意すべきである。
【０１１７】
図１４に示すように、投写型映像表示装置１００は、赤調整信号Ｒ２と赤用中間信号Ｒ３とを合算した信号を赤用出力信号Ｒｏｕｔとして液晶パネル３０Ｒに出力する。同様に、投写型映像表示装置１００は、緑調整信号Ｇ２と緑用中間信号Ｇ３とを合算した信号を緑用出力信号Ｇｏｕｔとして液晶パネル３０Ｇに出力し、黄調整信号Ｙｅ２と黄用中間信号Ｙｅ３とを合算した信号を黄用出力信号Ｙｅｏｕｔとして液晶パネル３０Ｙｅに出力する。一方で、投写型映像表示装置１００は、青用中間信号Ｂ３を青用出力信号Ｂｏｕｔとして液晶パネル３０Ｂに出力する。
【０１１８】
（作用及び効果）
第２実施形態に係る投写型映像表示装置１００によれば、制御部１３０が、赤入力信号Ｒｉｎ、緑入力信号Ｇｉｎ及び青入力信号Ｂｉｎに共通する信号強度を有する信号強度共通成分Ｗ２を抽出し、視感度を考慮した比率を信号強度共通成分Ｗ２に乗算することによって、赤用中間信号Ｒ３、緑用中間信号Ｇ３、青用中間信号Ｂ３及び黄用中間信号Ｙｅ３を算出する。
【０１１９】
また、制御部１３０が、赤入力信号Ｒｉｎ及び緑入力信号Ｇｉｎから信号強度共通成分Ｗ２を除いた赤用中間信号Ｒ１及び緑用中間信号Ｇ１にもとついて、赤調整信号Ｒ２、緑調整信号Ｇ２及び黄調整信号Ｙｅ２を算出する。
【０１２０】
さらに、赤用出力信号Ｒｏｕｔ、緑用出力信号Ｇｏｕｔ及び黄用出力信号Ｙｅｏｕｔが、赤調整信号Ｒ２と赤用中間信号Ｒ３とを合算した信号、緑用中間信号Ｇ３と緑調整信号Ｇ２とを合算した信号及び黄調整信号Ｙｅ２と黄用中間信号Ｙｅ３とを合算した信号である。
【０１２１】
すなわち、赤入力信号Ｒｉｎ及び緑入力信号Ｇｉｎから信号強度共通成分Ｗ２を除くことによって、黄色成分光の利用によって映像の色再現性が低下することを抑制することが可能である。
【０１２２】
［第３実施形態］
以下において、第３実施形態について図面を参照しながら説明する。以下においては、上述した第１実施形態と第３実施形態との相違点について主として説明する。
【０１２３】
具体的には、上述した第１実施形態では、赤入力信号Ｒｉｎ及び緑入力信号Ｇｉｎのうち、信号強度が低い入力信号によって、黄色成分光の重畳量（Ｙｅ置換信号Ｗ）が定められている。
【０１２４】
これに対して、第３実施形態では、対象領域に含まれる各画素の輝度平均値や再度平均値によって、黄色成分光の重畳量（Ｙｅ置換信号Ｗ）が定められる。
【０１２５】
（投写型映像表示装置の機能）
以下において、第３実施形態に係る投写型映像表示装置の機能について、図面を参照しながら説明する。図１５は、第３実施形態に係る投写型映像表示装置１００（制御部１３０）の機能を説明するための図である。
【０１２６】
以下において、投写型映像表示装置１００（制御部１３０）は、液晶パネル３０Ｙｅの解像度に応じて定められる対象領域毎に黄色成分光の重畳量（Ｙｅ置換信号Ｗ）を算出する。
【０１２７】
図１５に示すように、制御部１３０は、対象領域に含まれる各画素の輝度に応じて、各画素のヒストグラムを作成する。続いて、制御部１３０は、対象領域に含まれる各画素の輝度平均値（Ｌ（ａｖｅ））を算出する。
【０１２８】
制御部１３０は、以下の（式２１）〜（式２４）に従って、赤用出力信号Ｒｏｕｔ、緑用出力信号Ｇｏｕｔ、青用出力信号Ｂｏｕｔ及び黄用出力信号Ｙｅｏｕｔを算出する。
【数２０】
0005273981.tif 000022
【０１２９】
但し、輝度平均値（Ｌ（ａｖｅ））がｍｉｎ（Ｒｉｎ，Ｇｉｎ）を超える場合には、輝度平均値（Ｌ（ａｖｅ））に代えて、ｍｉｎ（Ｒｉｎ，Ｇｉｎ）が用いられてもよい。
【０１３０】
なお、第３実施形態では、黄用出力信号Ｙｅｏｕｔは、Ｙｅ置換信号Ｗと同じである同義であることに留意すべきである。
【０１３１】
［第３実施形態の変形例１］
以下において、第３実施形態の変形例１について図面を参照しながら説明する。具体的には、第３実施形態の変形例１では、輝度平均値（Ｌ（ａｖｅ））に代えて、彩度平均値（Ｃ（ａｖｅ））が用いられる。
【０１３２】
（投写型映像表示装置の機能）
以下において、第３実施形態の変形例１に係る投写型映像表示装置の機能について、図面を参照しながら説明する。図１６は、第３実施形態の変形例１に係る投写型映像表示装置１００（制御部１３０）の機能を説明するための図である。
【０１３３】
図１６に示すように、制御部１３０は、対象領域に含まれる各画素の彩度に応じて、各画素のヒストグラムを作成する。続いて、制御部１３０は、対象領域に含まれる各画素の彩度平均値（Ｃ（ａｖｅ））を算出する。
【０１３４】
制御部１３０は、以下の（式２５）〜（式２８）に従って、赤用出力信号Ｒｏｕｔ、緑用出力信号Ｇｏｕｔ、青用出力信号Ｂｏｕｔ及び黄用出力信号Ｙｅｏｕｔを算出する。
【数２１】
0005273981.tif 000023
【０１３５】
但し、彩度平均値（Ｃ（ａｖｅ））がｍｉｎ（Ｒｉｎ，Ｇｉｎ）を超える場合には、彩度平均値（Ｃ（ａｖｅ））に代えて、ｍｉｎ（Ｒｉｎ，Ｇｉｎ）が用いられてもよい。
【０１３６】
［第３実施形態の変形例２］
以下において、第３実施形態の変形例２について図面を参照しながら説明する。具体的には、第３実施形態の変形例２では、輝度平均値（Ｌ（ａｖｅ））に代えて、色相毎に算出された輝度平均値（Ｌ１（ａｖｅ），Ｌ２（ａｖｅ））が用いられる。
【０１３７】
（投写型映像表示装置の機能）
以下において、第３実施形態の変形例２に係る投写型映像表示装置の機能について、図面を参照しながら説明する。図１７は、第３実施形態の変形例２に係る投写型映像表示装置１００（制御部１３０）の機能を説明するための図である。
【０１３８】
図１７（ａ）及び図１７（ｂ）に示すように、制御部１３０は、対象領域に含まれる各画素の輝度に応じて、各画素のヒストグラムを色相（θ１，θ２）毎に作成する。続いて、制御部１３０は、各色相（θ１，θ２）について、対象領域に含まれる各画素の輝度平均値（Ｌ１（ａｖｅ），Ｌ２（ａｖｅ））を算出する。
【０１３９】
ここで、色相（θ１）は、対象領域の色再現に黄色成分光が与える影響が大きい色相（例えば、赤色）であり、色相（θ２）は、対象領域の色再現に黄色成分光が与える影響が小さい色相（例えば、シアン）である。
【０１４０】
制御部１３０は、以下の（式２９）〜（式３２）に従って、赤用出力信号Ｒｏｕｔ、緑用出力信号Ｇｏｕｔ、青用出力信号Ｂｏｕｔ及び黄用出力信号Ｙｅｏｕｔを算出する。
【数２２】
0005273981.tif 000024
【０１４１】
但し、「ｐ×Ｌ１（ａｖｅ）＋ｑ×Ｌ２（ａｖｅ）」がｍｉｎ（Ｒｉｎ，Ｇｉｎ）を超える場合には、「ｐ×Ｌ１（ａｖｅ）＋ｑ×Ｌ２（ａｖｅ）」に代えて、ｍｉｎ（Ｒｉｎ，Ｇｉｎ）が用いられてもよい。また、「ｐ×Ｌ１（ａｖｅ）＋ｑ×Ｌ２（ａｖｅ）」がｍｉｎ（Ｒ１，Ｇ１）を超えないように、係数ｐ及び係数ｑの値が設定されてもよい。
【０１４２】
なお、係数ｐ及び係数ｑは、色相毎に設定された調整係数であり、「ｐ＜ｑ」の関係を有する。すなわち、対象領域の色再現に与える影響が大きい色相（θ１）に基づいて算出される黄色成分光の重畳量の増大を抑制する。
【０１４３】
［第３実施形態の変形例３］
以下において、第３実施形態の変形例３について図面を参照しながら説明する。具体的には、第３実施形態の変形例３では、輝度平均値（Ｌ（ａｖｅ））に加えて、彩度平均値（Ｃ（ａｖｅ））が用いられる。
【０１４４】
（投写型映像表示装置の機能）
以下において、第３実施形態の変形例３に係る投写型映像表示装置の機能について、図面を参照しながら説明する。図１８は、第３実施形態の変形例３に係る投写型映像表示装置１００（制御部１３０）の機能を説明するための図である。
【０１４５】
図１８（ａ）及び図１８（ｂ）に示すように、制御部１３０は、対象領域に含まれる各画素の輝度及び彩度に応じて、各画素のヒストグラムを輝度及び彩度について作成する。続いて、制御部１３０は、対象領域に含まれる各画素の輝度平均値（Ｌ（ａｖｅ））及び彩度平均値（Ｃ（ａｖｅ））を算出する。
【０１４６】
制御部１３０は、以下の（式３３）〜（式３６）に従って、赤用出力信号Ｒｏｕｔ、緑用出力信号Ｇｏｕｔ、青用出力信号Ｂｏｕｔ及び黄用出力信号Ｙｅｏｕｔを算出する。
【数２３】
0005273981.tif 000025
【０１４７】
但し、「ｒ×Ｌ（ａｖｅ）＋ｓ×Ｃ（ａｖｅ）」がｍｉｎ（Ｒｉｎ，Ｇｉｎ）を超える場合には、「ｒ×Ｌ（ａｖｅ）＋ｓ×Ｃ（ａｖｅ）」に代えて、ｍｉｎ（Ｒｉｎ，Ｇｉｎ）が用いられてもよい。また、「ｒ×Ｌ（ａｖｅ）＋ｓ×Ｃ（ａｖｅ）」がｍｉｎ（Ｒ１，Ｇ１）を超えないように、係数ｒ及び係数ｓの値が設定されてもよい。
【０１４８】
なお、係数ｒ及び係数ｓとしては、輝度を重視するケースと色再現性を重視するケースとで異なった値が設定される。具体的には、輝度を重視するケースでは、係数ｒ及び係数ｓは「ｒ＞ｓ」の関係を有する。一方で、色再現性を重視するケースでは、係数ｒ及び係数ｓは「ｒ＜ｓ」の関係を有する。
【０１４９】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１５０】
例えば、投写型映像表示装置１００は、第４色成分光としてシアン成分光Ｃｙを利用してもよい。この場合には、シアン用出力信号Ｃｙｏｕｔは、赤入力信号Ｒｉｎ、緑入力信号Ｇｉｎ及び青入力信号Ｂｉｎのうち、シアン成分光Ｃｙに相当する色相に隣接する色相を有する色（緑色Ｇ及び青色Ｂ）に対応する緑入力信号Ｇｉｎ及び青入力信号Ｂｉｎに基づいて生成される。
【０１５１】
同様に、投写型映像表示装置１００は、第４色成分光としてマゼンタ成分光Ｍを利用してもよい。この場合には、マゼンタ用出力信号Ｍｏｕｔは、赤入力信号Ｒｉｎ、緑入力信号Ｇｉｎ及び青入力信号Ｂｉｎのうち、マゼンタ成分光Ｍに相当する色相に隣接する色相を有する色（赤色Ｒ及び青色Ｂ）に対応する赤入力信号Ｒｉｎ及び青入力信号Ｂｉｎに基づいて生成される。
【０１５２】
上述した実施形態では、黄用出力信号Ｙｅｏｕｔは、色再現パラメータα及び輝度パラメータβ１を用いて生成されるが、これに限定されるものではない。具体的には、黄用出力信号Ｙｅｏｕｔは、色再現パラメータαのみを用いて生成されてもよく、輝度パラメータβ１のみを用いて生成されてもよい。黄用出力信号Ｙｅｏｕｔは、輝度パラメータβ２のみを用いて生成されてもよい。黄用出力信号Ｙｅｏｕｔは、輝度パラメータβ１及び輝度パラメータβ２を用いて生成されてもよい。なお、色再現パラメータα、輝度パラメータβ１及び輝度パラメータβ２が適宜組み合わされて黄用出力信号Ｙｅｏｕｔが生成されてもよい。
【０１５３】
上述した実施形態では、制御部１３０が投写型映像表示装置１００に設けられているが、これに限定されるものではない。具体的には、制御部１３０が単体で提供されてもよい。
【０１５４】
上述した実施形態では、映像表示装置として投写型映像表示装置１００を例示しているが、これに限定されるものではなく、映像表示装置は映像を表示可能な装置であればよい。
【０１５５】
上述した第３実施形態では、輝度平均値（Ｌ（ａｖｅ））及び彩度平均値（Ｃ（ａｖｅ））を用いて、黄色成分光の重畳量（黄用出力信号Ｙｅｏｕｔ）が算出されるが、これに限定されるものではない。具体的には、輝度の最小値（Ｌ（ｍｉｎ））、輝度の最大値（Ｌ（ｍａｘ））、彩度の最小値（Ｃ（ｍｉｎ））、彩度の最大値（Ｃ（ｍａｘ））などのように、輝度及び彩度の代表値を用いて、黄色成分光の重畳量（黄用出力信号Ｙｅｏｕｔ）が算出されてもよい。
【０１５６】
上述した実施形態では、「Ｙｅ＝Ｒ＋Ｇ」の関係が成り立つことを前提として説明しているが、これに限定されるものではない。具体的には、「Ｙｅ＝Ｒ＋２Ｇ」や「Ｙｅ＝２Ｒ＋Ｇ」などの関係が成り立つ場合においても、上述した各式を調整することによって、黄色成分光の重畳量（黄用出力信号Ｙｅｏｕｔ）を算出することが可能である。
【０１５７】
上述した実施形態では、液晶パネル３０Ｙｅから出射された黄色成分光が赤成分光に重畳されるが、これに限定されるものではない。液晶パネル３０Ｙｅから出射された黄色成分光は、他の色成分光（緑成分光又は青成分光）に重畳されてもよい。
【０１５８】
上述した実施形態では、黄色成分光は、光源１０が発する光から分離されるが、これに限定されるものではない。具体的には、投写型映像表示装置１００には、黄色成分光を発する固体光源（ＬＤ；Ｌａｓｅｒ  ＤｉｏｄｅやＬＥＤ；Ｌｉｇｈｔ  Ｅｍｉｔｔｉｎｇ  Ｄｉｏｄｅ）が設けられていてもよい。
【０１５９】
上述した実施形態では、黄色成分光の重畳量は、液晶パネル３０Ｙｅの変調量によって制御されるが、これに限定されるものではない。具体的には、黄色成分光の重畳量は、黄色成分光の光路上に設けられたアイリス機構によって制御されてもよい。
【０１６０】
上述した実施形態では、光変調素子の一例として、液晶パネルを例に挙げたが、これに限定されるものではない。具体的には、光変調素子は、ＬＣＯＳ（Ｌｉｑｕｉｄ  Ｃｒｙｓｔａｌ  ｏｎ  Ｓｉｌｉｃｏｎ）やＤＭＤ（Ｄｉｇｉｔａｌ  Ｍｉｃｒｏｍｉｒｒｏｒ  Ｄｅｖｉｃｅ）などであってもよい。
【図面の簡単な説明】
【０１６１】
【図１】第１実施形態に係る投写型映像表示装置１００の概略を示す図である。
【図２】第１実施形態に係る照明ユニット１２０の構成を示す図である。
【図３】第１実施形態に係る色再現範囲を示す図である。
【図４】第１実施形態に係る制御部１３０の構成を示すブロック図である。
【図５】第１実施形態に係る色再現パラメータα、輝度パラメータβ１及び輝度パラメータβ２を示す図である。
【図６】第１実施形態に係る投写型映像表示装置１００の動作を示すフロー図である。
【図７】第２実施形態に係る制御部１３０の構成を示すブロック図である。
【図８】第２実施形態に係る投写型映像表示装置１００の動作を示すフロー図である。
【図９】第２実施形態に係る出力信号の算出例について説明するための図である。
【図１０】第２実施形態に係る出力信号の算出例について説明するための図である。
【図１１】第２実施形態に係る出力信号の算出例について説明するための図である。
【図１２】第２実施形態に係る出力信号の算出例について説明するための図である。
【図１３】第２実施形態に係る出力信号の算出例について説明するための図である。
【図１４】第２実施形態に係る出力信号の算出例について説明するための図である。
【図１５】第３実施形態に係る照明ユニット１２０の機能を説明するための図である。
【図１６】第３実施形態の変形例１に係る照明ユニット１２０の機能を説明するための図である。
【図１７】第３実施形態の変形例２に係る照明ユニット１２０の機能を説明するための図である。
【図１８】第３実施形態の変形例３に係る照明ユニット１２０の機能を説明するための図である。
【符号の説明】
【０１６２】
１０・・・光源、３０・・・液晶パネル、５０・・・クロスダイクロイックキューブ、５１・・・ダイクロイックキューブ、５３・・・ダイクロイックキューブ、７１〜７８・・・レンズ、９１〜９５・・・ミラー、１００・・・投写型映像表示装置、１１０・・・投写レンズ、１２０・・・照明ユニット、１３０・・・制御部、１３１・・・入力信号受付部、１３２・・・Ｙｅ置換成分算出部、１３３・・・パラメータ特定部、１３４・・・Ｙｅ成分調整部、１３５・・・出力部、１３６・・・共通成分抽出部、１３７・・・視感度調整部、２００・・・スクリーン
【図１】
0005273981.tif 000026
【図２】
0005273981.tif 000027
【図３】
0005273981.tif 000028
【図４】
0005273981.tif 000029
【図５】
0005273981.tif 000030
【図６】
0005273981.tif 000031
【図７】
0005273981.tif 000032
【図８】
0005273981.tif 000033
【図９】
0005273981.tif 000034
【図１０】
0005273981.tif 000035
【図１１】
0005273981.tif 000036
【図１２】
0005273981.tif 000037
【図１３】
0005273981.tif 000038
【図１４】
0005273981.tif 000039
【図１５】
0005273981.tif 000040
【図１６】
0005273981.tif 000041
【図１７】
0005273981.tif 000042
【図１８】
0005273981.tif 000043